(57)【要約】【課題】光ディスクに記録再生する記録再生装置において、記録したデータの品質を検査するベリファイ処理と、記録したデータを誤りなく読み出すことが出来るか検査するコンペア処理を行う場合、同じ領域を２度再生する必要があるため時間がかかる。【解決手段】ベリファイ処理とコンペア処理を一度の再生で行う。ベリファイ処理とコンペア処理を同時に行うため、記録再生装置に記録品質格納部を設け、ホストコントローラの指令により記録品質格納部に再生時の品質情報を格納しながら再生データをホストコントローラに送信する。ホストコントローラは送信されたデータと記録時のデータを比較することでコンペア処理を行い、またあらかじめ設定した間隔で記録再生装置から再生領域の品質情報を取得し記録品質を検査する。【選択図】図１
2014146403.tif 000002
【特許請求の範囲】
【請求項１】
複数の光ディスクを搭載し、光ディスクに対して情報の記録再生を行なう光ディスクライブラリ装置であって、
前記光ディスクに対して情報の記録再生を行う記録再生装置と、
前記ライブラリ装置に接続されたホストコントローラに対して情報の送受信を行なうライブラリコントローラとを備え、
前記記録再生装置は、前記光ディスクに記録された領域を再生し、前記領域の記録状態を示す品質情報を格納する記録品質格納部を有しており、
前記ホストコントローラから、前記ライブラリコントローラを経由して前記光ディスクに記録するデータが前記記録再生装置に送信されると、前記記録再生装置は送信された前記データを前記光ディスクに記録し、
前記記録再生装置は、
前記ホストコントローラからの第１の指令により、再生時の品質情報を前記記録品質格納部に格納を行いながら、前記ライブラリコントローラを経由して前記ホストコントローラへ再生されたデータを送信し、前記ホストコントローラからの第２指令により、前記記録品質格納部に格納された前記品質情報を、前記ライブラリコントローラを経由して前記ホストコントローラに送信することを特徴とする光ディスクライブラリ装置。
【請求項２】
複数の光ディスクを搭載し、光ディスクに対して情報の記録再生を行なう光ディスクライブラリ装置であって、
前記光ディスクに対して情報の記録再生を行う記録再生装置と、前記ライブラリ装置に接続されたホストコントローラに対して情報の送受信を行なうライブラリコントローラとを備え、
前記記録再生装置は、前記光ディスクに記録された領域を再生し、前記領域の記録状態を示す品質情報を格納する記録品質格納部を有しており、
前記ホストコントローラから、前記ライブラリコントローラを経由して前記光ディスクに記録するデータが前記記録再生装置に送信されると、前記記録再生装置は送信された前記データを前記光ディスクに記録し、
前記記録再生装置は、
前記ホストコントローラからの第１の指令により、再生時の品質情報を前記記録品質格納部に格納を行いながら、前記ライブラリコントローラを経由して前記ホストコントローラへ再生されたデータを送信し、
前記ライブラリコントローラからの第２指令により、前記記録品質格納部に格納された前記品質情報を、前記ライブラリコントローラに送信し、
前記ライブラリコントローラは、前記品質情報を判定する記録品質判定部を有しており、
前記ライブラリコントローラの前記記録品質判定部は、前記記録再生装置から送信された前記品質情報を判定し、あらかじめ決められた判定基準に記録品質が未達であると判断した場合、前記ホストコントローラに品質情報判定結果を送信することを特徴とする光ディスクライブラリ装置。
【請求項３】
複数の光ディスクを搭載し、光ディスクに対して情報の記録再生を行なう光ディスクライブラリ装置であって、
前記光ディスクに対して情報の記録再生を行う記録再生装置と、前記ライブラリ装置に接続されたホストコントローラに対して情報の送受信を行なうライブラリコントローラとを備え、
前記記録再生装置は、前記光ディスクに記録された領域を再生し、前記領域の記録状態を示す品質情報を格納する記録品質格納部と、
前記品質情報を判定する記録品質判定部と、を有しており、
前記ホストコントローラから、前記ライブラリコントローラを経由して前記光ディスクに記録するデータが前記記録再生装置に送信されると、前記記録再生装置は送信された前記データを前記光ディスクに記録し、
前記記録再生装置は、
前記ホストコントローラからの第１の指令により、再生時の品質情報を前記記録品質格納部に格納を行いながら、前記ライブラリコントローラを経由して前記ホストコントローラへ再生されたデータを送信し、
前記記録再生装置の前記記録品質判定部は、前記記録品質格納部に格納された品質情報を判定し、あらかじめ決められた判定基準に記録品質が未達であると判断した場合、前記ライブラリコントローラを経由して前記ホストコントローラに品質情報判定結果を送信することを特徴とする光ディスクライブラリ装置。
【請求項４】
請求項１から３のいずれか１項に記載の光ディスクライブラリ装置において、
前記記録品質格納部に格納する前記品質情報は、前記再生した領域における１記録単位毎に取得されるシンボルエラー数の最大値としたことを特徴とする光ディスクライブラリ装置。
【請求項５】
請求項１から３のいずれか１項に記載の光ディスクライブラリ装置において、
前記記録品質格納部に格納する前記品質情報は、前記再生した領域における１記録単位毎に取得されるシンボルエラー数の平均値としたことを特徴とする光ディスクライブラリ装置。
【請求項６】
請求項２又は３に記載の光ディスクライブラリ装置において、
前記記録品質判定部は、あらかじめ設定した記録容量単位で前記品質情報を判定することを特徴とする光ディスクライブラリ装置。
【請求項７】
光ディスクに対して情報の記録再生を行なう記録再生装置であって、
前記光ディスクに記録された領域を再生し、前記領域の記録状態を示す品質情報を格納する記録品質格納部を有し、
前記記録再生装置に接続されたホストコントローラから、前記光ディスクに記録するデータが前記記録再生装置に送信されると、前記記録再生装置は送信された前記データを前記光ディスクに記録し、
前記記録再生装置は、
前記ホストコントローラからの第１の指令により、再生時の品質情報を前記記録品質格納部に格納を行いながら、前記ホストコントローラへ再生されたデータを送信し、
前記ホストコントローラからの第２指令により、前記記録品質格納部に格納された前記品質情報を、前記ホストコントローラに送信することを特徴とする記録再生装置。
【請求項８】
光ディスクに対して情報の記録再生を行なう記録再生装置であって、
前記光ディスクに記録された領域を再生し、前記領域の記録状態を示す品質情報を格納する記録品質格納部と、
前記品質情報を判定する記録品質判定部と、を有し、
前記記録再生装置に接続されたホストコントローラから、前記光ディスクに記録するデータが前記記録再生装置に送信されると、前記記録再生装置は送信された前記データを前記光ディスクに記録し、
前記記録再生装置は、
前記ホストコントローラからの第１の指令により、再生時の品質情報を前記記録品質格納部に格納を行いながら、前記ホストコントローラへ再生されたデータを送信し、
前記記録品質判定部は、前記記録品質格納部に格納された品質情報を判定し、あらかじめ決められた判定基準に記録品質が未達であると判断した場合、前記ホストコントローラに品質情報判定結果を送信することを特徴とする記録再生装置。
【請求項９】
請求項７又は８に記載の記録再生装置において、
前記記録品質格納部に格納する前記品質情報は、前記再生した領域における１記録単位毎に取得されるシンボルエラー数の最大値としたことを特徴とする記録再生装置。
【請求項１０】
請求項７又は８に記載の記録再生装置において、
前記記録品質格納部に格納する前記品質情報は、前記再生した領域における１記録単位毎に取得されるシンボルエラー数の平均値としたことを特徴とする記録再生装置。
【請求項１１】
請求項８に記載の記録再生装置において、
前記記録品質判定部は、あらかじめ設定した記録容量単位で前記品質情報を判定することを特徴とする記録再生装置。
【発明の詳細な説明】
【技術分野】
【０００１】
本発明は光ディスクを使用した記録再生装置あるいは記録再生装置を用いた光ディスクライブラリ装置に関するものであり、特に光ディスクへの記録時の処理時間短縮に関するものである。
【背景技術】
【０００２】
光ディスクに記録再生する記録再生装置において、記録したデータの信頼性を確保するためにベリファイ処理、コンペア処理が行われることがある。ベリファイ処理は記録したデータの品質を検査する処理であり、コンペア処理は光ディスクに記録したデータを誤りなく読み出すことが出来るか検査する処理である。ベリファイ処理、コンペア処理については特許文献１、特許文献２に記載されている。
【先行技術文献】
【特許文献】
【０００３】
【特許文献１】特開２０１０−２６７３６７号公報
【特許文献２】特開２０１１−１５４７４９号公報
【発明の概要】
【発明が解決しようとする課題】
【０００４】
従来の光ディスクにおけるベリファイ、コンペア処理の課題について図を用いて説明する。図１３、図１４は記録したデータに対してベリファイ処理をする機能を有した光ディスク装置の動作を説明した図である。光ディスク装置１は、ホストコントローラ２から、記録を指示するコマンドを受けると、ホストコントローラ２から転送されるデータを光ディスクに記録する。このとき、光ディスク装置１はデータを光ディスクに書き込む処理（ライト処理）を連続的に行うのではなく、一定の容量単位でライト処理２２を行ったのち、記録した領域にさかのぼりベリファイ処理２３を行うことで正しく記録できたことを確認する。このライト処理２２とベリファイ処理２３を繰り返して行うことで、データ品質が確保された記録を行うことができる。一般に光ディスク装置では、記録再生を同一の光ピックアップで行うため、ライト処理２２とベリファイ処理２３は同時に行うことが出来ず、ライト処理２２とベリファイ処理２３を交互に繰り返すことになり、データを光ディスクに書き込むライト処理２２と同程度の時間がベリファイ処理２３に必要になる。
【０００５】
また、図１３の光ディスク装置１を用いて、記録時にベリファイ処理とコンペア処理を行った場合の動作を図１５、図１６により説明する。コンペア処理２４は、記録した部分を実際に再生し、再生されたデータがホストコントローラ２で記録のために転送したデータと比較し同一のデータが再生できているかを検査する処理である。コンペア処理２４を行うためには、記録した領域を再生する必要があるため、ライト処理２２とベリファイ処理２３終了後にコンペア処理２４を実行することになる。記録した全領域を再生する必要があるので、ライト処理に要した時間と同程度の時間がコンペア処理に必要になる。よって、記録時にベリファイ処理、コンペア処理を行った場合、ライト処理にかかる時間の約３倍の時間が必要になる。このため、光ディスクを使用した記録再生装置においてベリファイ処理とコンペア処理を伴う記録処理での時間を短縮することが課題となっていた。
【課題を解決するための手段】
【０００６】
上記課題は特許請求の範囲に記載の発明により解決される。
【０００７】
例えば、記録再生装置に記録品質格納部を設け、ホストコントローラの指令により記録品質格納部に再生時の品質情報を格納しながら再生データをホストコントローラに送信する。ホストコントローラは送信されたデータと記録時のデータを比較することでコンペア処理を行い、またあらかじめ設定した間隔で記録再生装置から再生領域の品質情報を取得し記録品質を検査する。
【発明の効果】
【０００８】
本発明によれば、光ディスクを使用した記録再生装置においてベリファイ処理とコンペア処理を伴う記録処理の時間を短縮することが出来る。
【図面の簡単な説明】
【０００９】
【図１】本発明の第１の実施例を説明した図で、光ディスク装置の構成図である。
【図２】本発明の第１の実施例を説明した図で、光ディスクへのライト処理、コンペア処理およびベリファイ処理について説明した図であり、コンペア処理、ベリファイ処理をホストコントローラで行うことを説明した図である。
【図３】本発明の第１の実施例を説明した図で、光ディスクへのライト処理、コンペア処理およびベリファイ処理の処理フローを説明した図である。
【図４】本発明の第１の実施例を説明した図で、光ディスクへのライト処理、コンペア処理およびベリファイ処理について説明した図であり、ライト処理、コンペア処理、ベリファイ処理を行うタイミングおよび処理時間について説明した図である。
【図５】本発明の第１の実施例を説明した図で、光ディスクへのライト処理、コンペア処理およびベリファイ処理の処理フローを説明した図である。
【図６】本発明の第２の実施例を説明した図で、光ディスク装置の構成図である。
【図７】本発明の第２の実施例を説明した図で、光ディスクへのライト処理、コンペア処理およびベリファイ処理について説明した図であり、コンペア処理をホストコントローラで行い、ベリファイ処理は光ディスク装置で行うことを説明した図である。
【図８】本発明の第３の実施例を説明した図で、光ディスクを複数収納して使用する光ディスクライブラリでのライト処理、コンペア処理およびベリファイ処理について説明した図であり、コンペア処理、ベリファイ処理をホストコントローラで行うことを説明した図である。
【図９】本発明の第４の実施例を説明した図で、光ディスクを複数収納して使用する光ディスクライブラリでのライト処理、コンペア処理およびベリファイ処理について説明した図であり、コンペア処理をホストコントローラで行い、ベリファイ処理はライブラリコントローラで行うことを説明した図である。
【図１０】本発明の第４の実施例を説明した図で、ホストコントローラの処理フローを説明した図である。
【図１１】本発明の第４の実施例を説明した図で、ライブラリコントローラの処理フローを説明した図である。
【図１２】本発明の第５の実施例を説明した図で、光ディスクを複数収納して使用する光ディスクライブラリでのライト処理、コンペア処理およびベリファイ処理について説明した図であり、コンペア処理をホストコントローラで行い、ベリファイ処理は光ディスク装置で行うことを説明した図である。
【図１３】従来の光ディスク装置における光ディスクへのライト処理およびベリファイ処理について説明した図である。
【図１４】従来の光ディスク装置における光ディスクへのライト処理およびベリファイ処理について説明した図であり、ライト処理、ベリファイ処理を行うタイミングおよび処理時間について説明した図である。
【図１５】従来の光ディスク装置における光ディスクへのライト処理、コンペア処理およびベリファイ処理について説明した図である。
【図１６】従来の光ディスク装置における光ディスクへのライト処理、コンペア処理およびベリファイ処理について説明した図であり、ライト処理、ベリファイ処理、コンペア処理を行うタイミングおよび処理時間について説明した図である。
【発明を実施するための形態】
【００１０】
以下、本発明の実施の形態を図面に基づいて説明する。
【実施例１】
【００１１】
図１は本発明の第１の実施例を示した光ディスク装置の構成図である。光ディスク５はスピンドルモータ７、ドライバ回路８により、回転した状態にある。光ピックアップユニット１２に搭載されたレーザダイオード１０から出射された光は対物レンズ９により、光ディスク５上のデータ記録面に集光される。そして光ディスク５に集光された光はデータ記録面で反射され、その反射光は再度対物レンズ９を通過した後、受光素子１１に入り電気信号に変換される。受光素子１１から出力される電気信号は、信号処理回路１３に入力される。信号処理回路１３は入力された信号を処理し、インターフェース１７を通じて外部接続機器との通信を行ったり、ドライバ回路８にフィードバックし、スピンドルモータ７や光ピックアップユニット１２などの制御を行っている。また、信号処理回路１３は、光ディスクに記録するデータを符号化する符号化回路１４、光ディスクから再生されたデータを復号化する復号化回路１５、復号化の際に取得されるデータの品質情報を格納する記録品質格納部１６を有している。
【００１２】
図２、図３、図４により第１の実施例の光ディスク装置におけるベリファイ処理、コンペア処理を伴う記録処理について説明する。図２はホストコントローラ２と光ディスク装置１間での各処理におけるデータの流れについて説明した図であり、図３は処理フローを説明した図である。また図４は各処理の実行タイミングおよび処理時間について説明した図である。
【００１３】
本実施例では図２に示すようにホストコントローラ２から記録するデータを光ディスク装置２に送信した後、再生したデータおよび品質情報を光ディスク装置１からホストコントローラ２へ送信してベリファイ処理、コンペア処理を行う。
【００１４】
記録時の処理は図３に示すように、ホストコントローラ２から光ディスク装置１に記録指示を行った後（１０１）、光ディスク５に記録するデータを光ディスク装置１に送信する。光ディスク装置１は送信されたデータを光ディスクにライト処理を行う（１０２）。ホストコントローラ２は記録データの送信が終了し、光ディスク装置でのライト処理が終了した後、光ディスク装置１に対し、コンペア処理とベリファイ処理を行うための第１の指令を送信する（１０３）。なお第１の指令は、ドライブメーカが設定した独自コマンドであり、本機能を搭載しない光ディスク装置は本コマンドによる動作は行わない。光ディスク装置１は第１の指令を受け取ると、記録した領域の再生を行い（１０４）、ホストコントローラ２に再生データを送信する。また、光ディスク装置１は、再生処理時の復号化において取得されるデータ品質情報を記録品質格納部１６に格納する。ホストコントローラ２は光ディスク装置１から送信されたデータと記録するために送信したデータを比較し、再生されたデータに誤りがないか検査を行う（コンペア処理）。
【００１５】
また、ホストコントローラ２はあらかじめ決められた容量のデータが再生された時点で、再生した領域の品質情報を転送するように光ディスク装置１に第２の指令を送信し（１０５）、第２の指令を受けた光ディスク装置１は記録品質格納部１６に格納した品質情報をホストコントローラ２に送信し、ホストコントローラ２はこれを受信する（１０６）。なお第２の指令も、ドライブメーカが設定した独自コマンドであり、本機能を搭載しない光ディスク装置は何も動作は行わない。そしてホストコントローラ２は転送された品質情報をあらかじめ決められた基準値と比較して検査する（ベリファイ処理）。コンペア処理、ベリファイ処理のための再生処理をライト処理した領域すべてについて行い（１０７）、記録処理は終了する。
【００１６】
本実施例では記録された領域において１度の再生でコンペア処理、ベリファイ処理を実施することが出来る。また、図４に示すように品質情報の転送に要する時間は、光ディスクの再生時間と比較して非常に短いため処理時間への影響はほとんどない。従来は、ベリファイ処理とコンペア処理を別々に行っていたため、同じ記録領域を２度再生していたが、本実施例では同じ記録領域の再生は１度で済むため、コンペア処理とベリファイ処理にかかる時間を約１／２に削減できる。
【００１７】
なお、本実施例においてコンペア処理は、ホストコントローラ２で行っている。これは、ホストコントローラ２と光ディスク装置１との通信不良など、光ディスクへの記録再生以外でのデータ誤りを考慮し、光ディスクに記録し再生されたデータがホストコントローラ２へ正しく転送できることを確認するためである。
【００１８】
本実施例で扱う光ディスクの品質情報としては、シンボルエラーを使用する。光ディスクでは１記録単位毎に誤り訂正符号を付加することで、再生したデータの誤りを訂正することが出来る。このときに訂正を行った誤りの数（シンボルエラー数）を光ディスクに記録されたデータの品質を判断する品質情報とする。
【００１９】
光ディスクに傷や汚れがあり、局所的に記録品質が劣化している場合は、シンボルエラー数も局所的に多くなる。こうした劣化を検出するためには、あらかじめ決めた領域を再生し、その領域で最大となるシンボルエラー数を判定することで検出が可能である。また、光ディスク装置の記録性能に問題がある場合は、連続的にシンボルエラー数が多くなる。こうした記録品質の劣化は、あらかじめ決めた領域を再生し、シンボルエラー数の平均値を判定することで検出が可能になる。
【００２０】
なお、シンボルエラー数の平均値を取得するための領域が少ない場合、その範囲に局所的にシンボルエラー数が多い部分があると、シンボルエラー数の平均値も多くなり光ディスク装置の記録性能を正確に判定することが出来なくなる。このため、品質情報を取得するための再生容量としては適正な値を決定する必要がある。例えば、１記録単位６４ｋＢの光ディスク装置において、６４ＭＢ毎に品質情報を送信する再生容量とすると、１記録単位における局所的な劣化がシンボルエラー数の平均値に及ぼす影響を０．１％程度に抑えることが出来る。
【００２１】
本実施例における記録品質格納部には、再生領域におけるシンボルエラー数の最大値、および平均値を格納していく。なお、記録品質格納部の情報は、ホストコントローラからのリセット信号、あるいは品質情報をホストコントローラに転送した契機、あるいはベリファイ処理とコンペア処理の実施指令を受けた契機などで初期化し、再生した領域のみのシンボルエラー数の最大値、平均値を記録品質格納部に格納する。
【００２２】
なお、ライト処理とコンペア処理、ベリファイ処理を行う場合、図３に示したように記録するためのデータすべてをライト処理した後、コンペア処理、ベリファイ処理を行ってもよい。または、図５に示すように、あらかじめ決められた容量をライト処理し、その領域のコンペア処理、ベリファイ処理を行い、このライト処理、コンペア処理、ベリファイ処理を繰り返して行っても良い。
【００２３】
図５は、あらかじめ決められた容量で、ライト処理、コンペア処理、ベリファイ処理を行い、これを繰り返すことで記録処理を行う処理フローである。前者の場合、ライト処理または、コンペア処理、ベリファイ処理の途中でシーク処理が発生せず、記録時間は増加しないが、ホストコントローラに置けるコンペア処理用のキャッシュ容量が光ディスク１枚分の容量必要となる。また、後者の場合、ホストコントローラにおいてコンペア処理が終わった部分の記録データをキャッシュから開放できるため、キャッシュ容量の削減が可能になるが、ライト処理とコンペア処理、ベリファイ処理を繰り返すためシーク処理が発生し、記録時間が増加する。光ディスク装置に対し、記録時間を優先する場合は前者を選択し、ホストコントローラのキャッシュ容量削減を優先する場合は後者を選択すればよい。
【実施例２】
【００２４】
次に本発明の第２の実施例について、図６、図７を用いて説明する。図６は光ディスク装置の構成図、図７はホストコントローラ２と光ディスク装置１の各処理におけるデータの流れについて説明した図である。第２の実施例の光ディスク装置は、第１の光ディスク装置に加え、信号処理回路１３に記録品質判定部２５を備えている。記録品質判定部２５はあらかじめ設定された判定値により、記録品質格納部１６に格納された品質情報の判定を行う。
【００２５】
次に第２の実施例におけるベリファイ処理、コンペア処理について説明する。ホストコントローラ２から光ディスク装置１に記録指示を行った後、光ディスク５に記録するデータを光ディスク装置１に送信する。光ディスク装置１は送信されたデータを光ディスクにライト処理を行う。ホストコントローラ２は記録データの送信が終了し、光ディスク装置でのライト処理が終了した後、光ディスク装置１に対し、コンペア処理とベリファイ処理を行うための第１の指令を送信する。なお第１の指令は、ドライブメーカが設定した独自コマンドであり、本機能を搭載しない光ディスク装置は本コマンドによる動作は行わない。光ディスク装置１は第１の指令を受け取ると、記録した領域の再生を行い、ホストコントローラ２に再生データを送信する。また、光ディスク装置１は、再生処理時の復号化において取得されるデータ品質情報を記録品質格納部１６に格納する。ホストコントローラ２は光ディスク装置１から送信されたデータと記録するために送信したデータを比較し、再生されたデータに誤りがないか検査を行う（コンペア処理）。また、光ディスク装置１は、図７に示すように記録品質判定部２５により記録品質格納部１６に格納された品質情報をあらかじめ設定した容量単位で判定を行う（ベリファイ処理）。記録品質判定部２５で品質に問題があることを検出した場合は、ホストコントローラ２に品質情報判定結果を送信する。
【００２６】
コンペア処理は、通信路での誤りの可能性を考慮してホストコントローラ２で行う必要がある。しかしデータ品質の判定処理であるベリファイ処理は光ディスク装置１内で行っても特に問題はない。またデータ品質の判定値は光ディスク装置１に依存するパラメータであるため、品質の判定を光ディスク装置１で行うことで、ホストコントローラ２は接続機器に依存する判定値を持つ必要がなくなる。
【実施例３】
【００２７】
次に本発明の第３の実施例について、図８を用いて説明する。図８は第１の実施例の光ディスク装置１を搭載した光ディスクライブラリ６である。光ディスクライブラリ６は、複数の光ディスク５を搭載しており、ホストコントローラ２からの指令により、任意の光ディスクをディスク搬送機構４により光ディスク装置１に搬送し、記録あるいは再生処理を行う。またディスク搬送機構４は、記録あるいは再生が終了した光ディスクを光ディスク装置１から、光ディスク搭載位置への搬送も行う。
【００２８】
また光ディスクライブラリ６はライブラリコントローラ３を搭載しておりライブラリコントローラ３は、ホストコントローラ２とのデータの送受信、ディスク搬送機構４の制御、光ディスク装置１へのコマンド発行などを行っている。またホストコントローラ２と光ディスク装置１とのデータの転送もライブラリコントローラ３を経由して行う。本実施例の光ディスクライブラリ６において、ベリファイ処理、コンペア処理を行う場合には、第１の実施例同様に光ディスク装置１に第１の指令を送信し、光ディスク装置１は、ホストコントローラ２への再生データの送信、および第２の指令により品質情報の送信をライブラリコントローラ３経由で行う。
【実施例４】
【００２９】
次に本発明の第４の実施例について、図９、図１０、図１１を用いて説明する。図９は第１の実施例の光ディスク装置１を搭載した光ディスクライブラリ６を示す。光ディスクライブラリ６は、複数の光ディスク５を搭載しており、ホストコントローラ２からの指令により、任意の光ディスクをディスク搬送機構４により光ディスク装置１に搬送し、記録あるいは再生処理を行う。またディスク搬送機構４は、記録あるいは再生が終了した光ディスクを光ディスク装置１から、光ディスク搭載位置への搬送も行う。また光ディスクライブラリ６はライブラリコントローラ３を搭載しておりライブラリコントローラ３は、ホストコントローラ２とのデータの送受信、ディスク搬送機構４の制御、光ディスク装置１へのコマンド発行などを行っている。またホストコントローラ２と光ディスク装置１とのデータの転送もライブラリコントローラ３を経由して行う。また、ライブラリコントローラ３は、光ディスク装置１で記録されたデータの品質情報を判定する品質情報判定部を搭載している。
【００３０】
本実施例におけるベリファイ処理、コンペア処理について図１０、図１１により説明する。図１０はホストコントローラ２の処理フローを示す。ホストコントローラ２から光ディスク装置１に記録指示を行った後（３０１）、光ディスク５に記録するデータを光ディスク装置１にライブラリコントローラ３経由で送信する。光ディスク装置１は送信されたデータを光ディスクにライト処理を行う（３０２）。ホストコントローラ２は記録データの送信が終了し、光ディスク装置でのライト処理が終了した後、光ディスク装置１に対し、コンペア処理とベリファイ処理を行うための第１の指令をライブラリコントローラ３経由で送信する（３０３）。なお第１の指令は、ドライブメーカが設定した独自コマンドであり、本機能を搭載しない光ディスク装置は本コマンドによる動作は行わない。光ディスク装置１は第１の指令を受け取ると、記録した領域の再生を行い（３０４）、ライブラリコントローラ３を経由してホストコントローラ２に再生データを送信する。また、光ディスク装置１は、再生処理時の復号化において取得されるデータ品質情報を記録品質格納部１６に格納する。ホストコントローラ２は光ディスク装置１から送信されたデータと記録するために送信したデータを比較し、再生されたデータに誤りがないか検査を行う（コンペア処理）。コンペア処理のための再生処理をライト処理した領域すべて行い（３０５）、記録処理は終了する。
【００３１】
次にライブラリコントローラ３の処理フローを図１１により説明する。ライブラリコントローラ３はホストコントローラ２の第１の指令を受信（４０１）すると、光ディスク装置１に第１の指令を送信するとともに、光ディスク装置１が再生データをホストコントローラ２に送信する再生容量を監視する。再生容量があらかじめ決められた閾値を超えた時点で（４０２）、再生した領域の品質情報を送信するように光ディスク装置１に第２の指令を出す（４０３）。なお第２の指令も、ドライブメーカが設定した独自コマンドであり、本機能を搭載しない光ディスク装置は何も動作は行わない。第２の指令を受けた光ディスク装置１は品質情報をライブラリコントローラ３に送信し、ライブラリコントローラ３はこれを受信する（４０４）。そしてライブラリコントローラ３は受信した品質情報をあらかじめ決められた基準値と比較して検査する（ベリファイ処理）（４０５）。記録品質判定部で品質に問題があることを検出した場合は、ホストコントローラ２に品質情報判定結果を送信する（４０６）。
【００３２】
なお、ベリファイ処理において品質に問題があることを検出した場合には、ライブラリコントローラ３が当該再生領域に対し第１の指令を送信して再生し、再度ベリファイ処理を行っても良い。これは光ディスクにごみ付着などの偶発的な要因により、シンボルエラー数が多く検出されることに対する対応である。偶発的な要因によるシンボルエラー数の増加は、再度再生することにより解消されるのでこのようなリトライ処理が有効になる。
【実施例５】
【００３３】
次に本発明の第５の実施例について、図１２を用いて説明する。図１２は第２の実施例の光ディスク装置１を搭載した光ディスクライブラリ６である。光ディスクライブラリ６は、複数の光ディスク５を搭載しており、ホストコントローラ２からの指令により、任意の光ディスクをディスク搬送機構４により光ディスク装置１に搬送し、記録あるいは再生処理を行う。またディスク搬送機構４は、記録あるいは再生が終了した光ディスクを光ディスク装置１から、光ディスク搭載位置への搬送も行う。
【００３４】
また光ディスクライブラリ６はライブラリコントローラ３を搭載しておりライブラリコントローラ３は、ホストコントローラ２とのデータの送受信、ディスク搬送機構４の制御、光ディスク装置１へのコマンド発行などを行っている。またホストコントローラ２と光ディスク装置１とのデータの転送もライブラリコントローラ３を経由して行う。本実施例の光ディスクライブラリ６において、ベリファイ処理、コンペア処理を行う場合には、第２の実施例同様に光ディスク装置１に第１の指令を送信し、光ディスク装置１は、ホストコントローラ２への再生データの転送をライブラリコントローラ３経由で行う。
【００３５】
なお第１の指令は、ドライブメーカが設定した独自コマンドであり、本機能を搭載しない光ディスク装置は本コマンドによる動作は行わない。また品質情報の判定は光ディスク装置１で行い、データ品質に問題がある場合はライブラリコントローラ３経由でホストコントローラ２に判定結果を送信する。こうした処理により、ベリファイ処理、コンペア処理を行う場合でも１回の再生で処理することが出来る。
【００３６】
なお、第２の実施例以降の実施例においても、品質情報にはシンボルエラー数の最大値、平均値を使用することが出来る。また、データ品質の判定指標はシンボルエラー数に限るものではなく、シンボルエラー数以外でも信号の揺らぎ（ジッタ）など光ディスクのデータ品質を示す指標であればよい。
【符号の説明】
【００３７】
１・・・光ディスク装置
２・・・ホストコントローラ
３・・・ライブラリコントローラ
４・・・ディスク搬送機構
５・・・ディスク
６・・・光ディスクライブラリ
７・・・スピンドルモータ
８・・・ドライバ回路
９・・・対物レンズ
１０・・・レーザダイオード
１１・・・受光素子
１２・・・光ピックアップユニット
１３・・・信号処理回路
１４・・・符号化回路
１５・・・復号化回路
１６・・・記録品質格納部
１７・・・インターフェース
１８・・・ライト処理
１９・・・コンペア ＆ ベリファイ処理
２０・・・Ｒｅａｄ処理
２１・・・Ｒｅａｄ実施部の記録品質情報送信
２２・・・従来のライト処理
２３・・・従来のベリファイ処理
２４・・・従来のコンペア処理
２５・・・記録品質判定部
【図１】
2014146403.tif 000003
【図２】
2014146403.tif 000004
【図３】
2014146403.tif 000005
【図４】
2014146403.tif 000006
【図５】
2014146403.tif 000007
【図６】
2014146403.tif 000008
【図７】
2014146403.tif 000009
【図８】
2014146403.tif 000010
【図９】
2014146403.tif 000011
【図１０】
2014146403.tif 000012
【図１１】
2014146403.tif 000013
【図１２】
2014146403.tif 000014
【図１３】
2014146403.tif 000015
【図１４】
2014146403.tif 000016
【図１５】
2014146403.tif 000017
【図１６】
2014146403.tif 000018